(57)【特許請求の範囲】
【請求項１】
ボルト挿入用の円形の貫通孔に挿着される塵埃侵入防止用蓋であって、貫通孔の周壁に隙間なしに嵌入されるように、周壁の径と実質的に同径である円盤状の蓋部と、この蓋部の円周方向に関して１８０度以下の範囲において当該蓋部に一体的に形成されていると共に貫通孔の周壁と貫通孔に配されたボルトの頭部の外周面との間の環状の隙間に圧入される半円筒状の差込部とを具備しており、蓋部の外周面と差込部の外周面とは互いに同径をもって同軸に配されており、差込部の円周方向の端部はテーパ付けされている塵埃侵入防止用蓋。
【請求項２】
差込部には、軸方向に伸びるスリットが形成されている請求項１に記載の塵埃侵入防止用蓋。
【請求項３】
蓋部の外周面と差込部の外周面とは、装着される案内軌条のボルト挿入用の円形の貫通孔の周壁に隙間なしに嵌入されるように、周壁の径と実質的に同径である請求項１又は２に記載の塵埃侵入防止用蓋。
【発明の詳細な説明】
【０００１】
【産業上の利用分野】
本発明は、案内軌条に形成されたボルト挿入用の円形の貫通孔等への塵埃の侵入を防止するために、当該貫通孔に嵌装する塵埃侵入防止用蓋に関する。
【０００２】
【従来の技術】
図６に示すように、スライドシフタ等の摺動体１がＡ方向に摺動自在に嵌合されて、当該摺動体１のＡ方向の移動を案内する案内軌条２には、一般に、当該案内軌条２を固定するためにボルト挿入用の円形の貫通孔３、・・・が形成されている。そして従来では、使用中に貫通孔３に塵埃が溜まって、この塵埃により摺動体１のＡ方向の滑動が妨げられるのを防止すべく、貫通孔３のそれぞれに、ボルトを挿入して案内軌条２を固定した後に、貫通孔３のボルトの頭部上に樹脂等を流し込んで、貫通孔３の上面を案内軌条２の上面４と面一にしたり、貫通孔３に装着されたボルトの頭部にキャップ等を被せて、貫通孔３を蓋している。
【０００３】
【発明が解決しようとする課題】
ところで、貫通孔３への塵埃の溜まりを防止するために、貫通孔３に樹脂を流し込む手段は、その作業において案内軌条２の上面４への溶融樹脂の展延を避けるために、多くの時間と繁雑な作業とを要し、また、ボルトを緩めて案内軌条２の固定位置を再調整する場合には、固化した樹脂を取り除くなどのこれまた困難な作業を必要とし、更に、固化収縮により貫通孔３の部位に若干窪みが生じ、この窪みに、結局、塵埃が溜まることにもなる。ボルトの頭部にキャップ等を被せる手段は、樹脂を流し込む手段における上述の問題を回避し得るが、この手段においては、通常、案内軌条２の固定位置の微調整を可能とするため、ボルト外径に対して貫通孔３の直径が大きく形成されている結果、貫通孔３の軸心に対してボルトが偏心した状態で案内軌条２が当該ボルトにより固定された場合には、ボルトの頭部に被せられたキャップもまた、貫通孔３の軸心に対して偏心し、この偏心によりキャップと貫通孔３を規定する周壁との間に、細い三日月状の隙間が生じ、この隙間に塵埃が溜まる虞がある。
【０００４】
本発明は、前記諸点に鑑みてなされたものであって、その目的とするところは、ボルト挿着用の貫通孔の軸心に対して案内軌条固定用のボルトが偏心した状態で当該案内軌条が当該ボルトにより固定された場合でも、貫通孔を規定する周壁との間に隙間を生じさせることがなく、しかも案内軌条の固定位置の再調整に際して着脱を容易かつ迅速に行うことができる塵埃侵入防止用蓋を提供することにある。
【０００５】
【課題を解決するための手段】
本発明によれば前記目的は、円盤状の蓋部と、この蓋部に一体的に形成された半円筒状の差込部とを具備した塵埃侵入防止用蓋によって達成される。
【０００６】
好ましい例では、差込部は、蓋部の円周方向に関して１８０度以下の範囲において形成されており、また、差込部には、必要に応じて、軸方向に伸びるスリットが形成される。好ましい他の例では、蓋部の外周面と差込部の外周面とは、互いに同径をもって同軸に配されており、装着される案内軌条のボルト挿入用の円形の貫通孔の周壁に隙間なしに嵌入されるように、周壁の径と実質的に同径である。なお、差込部の円周方向の端部はテーパ付けされているとよい。塵埃侵入防止用蓋は、好ましくは、合成樹脂から一体形成される。
【０００７】
【作用】
本発明の塵埃侵入防止用蓋は、案内軌条のボルト挿入用の円形の貫通孔の周壁と当該貫通孔に挿着されたボルトの頭部との環状の隙間に、半円筒状の差込部が圧入される。通常、貫通孔の周壁への円盤状の蓋部の嵌着及び前記隙間への半円筒状の差込部の圧入により塵埃侵入防止用蓋は貫通孔に固定される。貫通孔の軸心に対してボルトが偏心して当該貫通孔に挿着されている場合には、貫通孔への嵌着後、円盤状の蓋部を回転させて、差込部の円周方向の端部を細い三日月状の隙間の端部に圧入すると、塵埃侵入防止用蓋の貫通孔への固定をより確実に達成し得る。
【０００８】
次に本発明を、図に示す好ましい具体例を参照して更に詳細に説明する。なお、本発明はこれら具体例に何等限定されないのである。
【０００９】
【具体例】
図１から図３において、本例の塵埃侵入防止用蓋１１は、円盤状の蓋部１２と、蓋部１２に一体的に形成された半円筒状の差込部１３とを具備している。差込部１３は、蓋部１２の円周方向Ｒに関して本例では１８０度の範囲において形成されている。
【００１０】
差込部１３には、軸方向に伸びる二つのスリット２１が形成されており、本例では、蓋部１２の外周面２２と差込部１３の外周面２３とは、互いに同径をもって同軸に配されている。蓋部１２は、本例では、その板厚Ｔが、差込部１３の板厚ｔよりも厚くなるように、形成されているが、本発明はこれに限定されず、例えば板厚Ｔとｔとが同じになるように、形成されていてもよい。蓋部１２の外周面２２と差込部１３の外周面２３とは、装着される案内軌条２のボルト挿入用の円形の貫通孔３の周壁２５（図４及び５参照）に隙間なしに嵌入されるように、周壁２５の径ｒと実質的に同径である。なお、差込部１３の軸方向端部は、隙間２９（図４及び図５参照）への圧入を容易とすべく、テーパ付けされていると好ましい。
【００１１】
以上のように形成された塵埃侵入防止用蓋１１は、図４に示す案内軌条２のボルト挿入用の円形の貫通孔３に挿着される。この場合、差込部１３の外周面２３が貫通孔３の壁２５と密に接触し隙間なしに嵌入されるようにして、差込部１３が、貫通孔３の周壁２５と、貫通孔３に配されたボルト２６の頭部２７の外周面２８との間の環状の隙間２９に圧入される。この圧入は、蓋部２の上面３１が案内軌条２の上面４と面一になるまでなされる。なお、差込部１３は、図４に示す隙間２９に圧入される程度の板厚ｔを有している。
【００１２】
ところで、図５に示すように、貫通孔３の軸心４１に対してボルト２６が偏心した状態で案内軌条２が当該ボルト２６により固定されて、隙間２９が細い三日月状になっている場合においても、塵埃侵入防止用蓋１１では、差込部１３の外周面２３が貫通孔３の周壁２５と密に接触し隙間なしに嵌入されるようになっており、しかも差込部１３が円周方向Ｒに関して１８０度の範囲において形成されているため、貫通孔３の軸心４１に対して偏心させることなしに、差込部１３を細い三日月状の隙間２９に差し込むことができ、したがって、蓋部１２もまた、貫通孔３の軸心４１に対して偏心することなしに、換言すれば、蓋部１２の外周面２２と貫通孔３の周壁２５との間に隙間を生じさせることなしに、貫通孔３を蓋してかつその上面３１を案内軌条２の上面４と面一になるようにして、貫通孔３に配置することができる。そして塵埃侵入防止用蓋１１は貫通孔３への嵌合により装着されているため、案内軌条２の固定位置の再調整に際して、その着脱を容易に行い得る。なお、図５に示す場合には、貫通孔３への差込部１３の嵌入後、円周方向Ｒに蓋部１２を回転させて、差込部１３の円周方向のいずれか一方の端部５１を隙間２９の円周方向の端部に圧入して、塵埃侵入防止用蓋１１を貫通孔３にしっかりと固定する。
【００１３】
なお、差込部１３の円周方向の両端部５１をテーパ付けして形成すると、円周方向Ｒへの蓋部１２の回転において、三日月状隙間２９の円周方向Ｒの端部への差込部１３の端部５１の圧入を好ましく行い得る。差込部１３を、三日月状の隙間２９の形状に対応して、円周方向Ｒに関して、その中央部から両端部５１に向かうに従って、その厚みが薄くなるように形成しておくと、差込部１３は蓋部１２の円周方向Ｒに関して１８０度以上の範囲において形成してもよく、したがって差込部１３は、ボルト２６の頭部２７の外周面２８と貫通孔３の周壁２５との密着部を避けることができるような程度の半円筒状であればよい。
【００１４】
【発明の効果】
以上のように本発明によれば、ボルト挿着用の貫通孔の軸心に対して案内軌条固定用のボルトが偏心した状態で当該案内軌条が当該ボルトにより固定された場合でも、貫通孔を規定する周壁との間に隙間を生じさせることなしに、貫通孔を蓋することができ、しかも案内軌条の固定位置の再調整に際しては、着脱を容易かつ迅速に行うことができる。
【図面の簡単な説明】
【図１】本発明の好ましい一具体例の斜視図である。
【図２】図１に示すＩＩ−ＩＩ線断面図である。
【図３】図２に示すＩＩＩ−ＩＩＩ線断面図である。
【図４】図１に示す具体例の作用説明図であって、（ａ）は平面図であり、（ｂ）は（ａ）の断面図である。
【図５】図１に示す具体例の作用説明図であって、（ａ）は平面図であり、（ｂ）は（ａ）の断面図である。
【図６】従来の技術の説明図である。
【符号の説明】
１１  塵埃侵入防止用蓋
１２  蓋部
１３  差込部
【図１】
0003740707.tif 000002
【図２】
0003740707.tif 000003
【図３】
0003740707.tif 000004
【図４】
0003740707.tif 000005
【図５】
0003740707.tif 000006
【図６】
0003740707.tif 000007